(57)【要約】      （修正有）【課題】離乳食調理時、食材を個別に茹で時間差で取り出すことができ、更に茹で汁も作ることができる離乳食調理用ザルを提供する。【解決手段】最上部１周に多少の幅を有するフランジがあり、扇形の円弧部分に持ち手のついた扇形柱状のステンレス製ザルと該ステンレス製ザルをはめることができる４か所の扇形の穴があり持ち手のついたステンレス製枠により構成する。使用に当たっては、鍋でじゃがいも・にんじん・たまねぎ・キャベツを用いて野菜スープを作る場合、乳児が食べやすい形に切ったの食材５をステンレス製ザル１つにつき１つずつ入れ、ステンレス製枠にはめる。鍋に湯を沸かし、各食材が茹でたいかたさに茹であがったら、木製カバー３を持ち、鍋及びステンレス製枠から取り出す。すべての食材が茹であがり、それぞれ取り出すと鍋の中に茹で汁ができあがる。これが野菜スープとなり、離乳食の味付けなどに使用できる。【選択図】図８
0003164433.tif 000002
【実用新案登録請求の範囲】
【請求項１】
離乳食調理時、食材を個別に茹で時間差で取り出すことができ、かつ茹で汁も作成できるステンレス製のザル。
【請求項２】
離乳食調理時、食材を個別に茹で時間差で取り出すことができ、かつ茹で汁も作成できるステンレス製の枠。
【考案の詳細な説明】
【技術分野】
【０００１】  本考案は、離乳食調理時、食材を個別に茹で時間差で取り出すことができ、更に茹で汁も作ることができるものである。
【背景技術】
【０００２】  離乳食調理時、１つの鍋で同時に様々な食材を茹でると後で分別しにくく、茹でるものによって最適な茹で時間が異なるので硬い食材（にんじんなど）に合わせると柔らかい食材（じゃがいもなど）を茹ですぎてしまう。
【考案の概要】
【考案が解決しようとする課題】
【０００３】  離乳食調理時、例えば野菜スープを作る場合、野菜（主にタマネギ・にんじん・じゃがいも・キャベツ）を鍋で茹で、ザルに野菜を受け別容器に茹で汁（野菜スープ）をとっていた。また、茹でた野菜を離乳食用に冷凍するので個別にする必要があり、手間がかかった。
【課題を解決するための手段】
【０００４】  本考案は、離乳食調理時、食材を個別に茹で時間差で取り出すことができ、かつ茹で汁も作成できるステンレス製のザルをステンレス製の枠にはめ、鍋に設置することにより問題を解決している。
【考案の効果】
【０００５】  上述の様に、本考案は食材を個別に茹でることができ、かつ時間差で取り出すことができる。また、個別に茹でながら離乳食調理に必要な茹で汁も作ることができる。
【図面の簡単な説明】
【０００６】
【図１】本考案に係る離乳食調理用ザルの一部を構成する枠の平面図である。
【図２】本考案に係る離乳食調理用ザルの一部を構成するザルを平面図である。
【図３】本考案に係る離乳食調理用ザルの一部を構成するザルの斜視図である。
【図４】本考案に係る離乳食調理用ザルの斜視図である。
【考案を実施するための形態】
【０００７】  図１の枠に図３のザルをはめ、鍋に設置し各ザルに茹でたい食材を入れ、火にかける。
【符号の説明】
【０００８】１  枠の持ち手
２  ザルの持ち手
３  熱伝導を防止するための木製カバー
４  留め具
【図１】
0003164433.tif 000003
【図２】
0003164433.tif 000004
【図３】
0003164433.tif 000005
【図４】
0003164433.tif 000006
【手続補正書】
【提出日】平成22年7月7日(2010.7.7)
【手続補正１】
【補正対象書類名】実用新案登録請求の範囲
【補正対象項目名】全文
【補正方法】変更
【補正の内容】
【実用新案登録請求の範囲】
【請求項１】
最上部１周に、ともに使用するステンレス製の枠に引っ掛けるための多少の幅があり、円周部分に持ち手のついた扇形立体のステンレス製ザル
【請求項２】
４か所の扇形の穴があり持ち手のついたステンレス製の枠
【手続補正２】
【補正対象書類名】明細書
【補正対象項目名】全文
【補正方法】変更
【補正の内容】
【考案の詳細な説明】
【技術分野】
【０００１】  本考案は、離乳食調理時、食材を個別に茹で時間差で取り出すことができ、更に茹で汁も作ることができるものである。
【背景技術】
【０００２】  離乳食調理時、１つの鍋で同時に様々な食材を茹でると後で分別しにくく、茹でるものによって最適な茹で時間が異なるので硬い食材（にんじんなど）に合わせると柔らかい食材（じゃがいもなど）を茹ですぎてしまう。
【考案の概要】
【考案が解決しようとする課題】
【０００３】  離乳食調理時、例えば野菜スープを作る場合、野菜（主にタマネギ・にんじん・じゃがいも・キャベツ）を鍋で茹で、ザルに野菜を受け別容器に茹で汁（野菜スープ）をとっていた。また、茹でた野菜を離乳食用に冷凍するので個別にする必要があり、手間がかかった。
【課題を解決するための手段】
【０００４】  本考案は、離乳食調理時、４か所の扇形の穴があり持ち手のついたステンレス製の枠に、最上部１周に前記ステンレス製枠に引っ掛けるための多少の幅があり円周部分に持ち手のついた扇形立体のステンレス製ザルをはめ、鍋に設置し、食材を個別に茹で時間差で取り出すことができ、かつ茹で汁も作成できることにより問題を解決している。
【考案の効果】
【０００５】  上述の様に、本考案は食材を個別に茹でることができ、かつ時間差で取り出すことができる。また、個別に茹でながら離乳食調理に必要な茹で汁も作ることができる。
【図面の簡単な説明】
【０００６】
【図１】本考案に係る離乳食調理用ザルの一部を構成する枠の平面図である。
【図２】本考案に係る離乳食調理用ザルの一部を構成するザルを平面図である。
【図３】本考案に係る離乳食調理用ザルの一部を構成するザルの持ち手部分を裏から見た図である。
【図４】本考案に係る離乳食調理用ザル及び枠の合体時の斜視図である。
【図５】本考案に係る離乳食調理用ザルの一部を構成するザルの斜視図及び実施例を示す図である。
【図６】本考案の実施時に用いる湯が沸いた鍋の図である。
【図７】本考案と鍋を合体させた図である。
【図８】本考案実施時の鍋の透過図である。
【図９】本考案実施時、ザルを１つ取り出した図である。
【図１０】本考案実施時、ザルを１つずつ取り出した図である。
【考案を実施するための形態】
【０００７】  図１の枠に図５のザルをはめ、鍋に設置し各ザルに茹でたい食材を入れ、火にかける。
【実施例】
【０００８】  以下、添付図面に従って一実施例を説明する。直径１４センチの鍋でじゃがいも・にんじん・たまねぎ・キャベツを用いて野菜スープを作る場合、乳児が食べやすい形に切った符号５の食材を図５のステンレス製ザル１つにつき１つずつ入れ、図１のステンレス製枠にはめる。鍋に湯を沸かし（図６）、図１と食材入りの図５を合体させたものをセットする（図７）。各食材が茹でたいかたさに茹であがったら、符号３を持ち、鍋及びステンレス製枠から取り出す（図９）。すべての食材が茹であがり、それぞれ取り出すと鍋の中に符号６ａのように茹で汁ができあがる。これが野菜スープとなり、離乳食の味付けなどに使用できる。
【符号の説明】
【０００９】１  枠の持ち手２  ザルの持ち手３  熱伝導を防止するための木製カバー４  枠の一部（接着部）５  茹でたい食材５ａ  茹であがった食材６  沸騰した湯６ａ  茹で汁
【手続補正３】
【補正対象書類名】図面
【補正対象項目名】全図
【補正方法】変更
【補正の内容】
【図１】
0003164433.tif 000007
【図２】
0003164433.tif 000008
【図３】
0003164433.tif 000009
【図４】
0003164433.tif 000010
【図５】
0003164433.tif 000011
【図６】
0003164433.tif 000012
【図７】
0003164433.tif 000013
【図８】
0003164433.tif 000014
【図９】
0003164433.tif 000015
【図１０】
0003164433.tif 000016
【手続補正書】
【提出日】平成22年9月13日(2010.9.13)
【手続補正１】
【補正対象書類名】実用新案登録請求の範囲
【補正対象項目名】全文
【補正方法】変更
【補正の内容】
【実用新案登録請求の範囲】
【請求項１】
最上部１周に多少の幅を有するフランジがあり、扇形の円弧部分に持ち手のついた扇形柱状のステンレス製ザル
【請求項２】
請求項１記載のステンレス製ザルをはめることができる４か所の扇形の穴があり持ち手のついたステンレス製枠
【手続補正２】
【補正対象書類名】明細書
【補正対象項目名】全文
【補正方法】変更
【補正の内容】
【考案の詳細な説明】
【技術分野】
【０００１】  本考案は、離乳食調理時、食材を個別に茹で時間差で取り出すことができ、更に茹で汁も作ることができるものである。
【背景技術】
【０００２】  離乳食調理時、１つの鍋で同時に様々な食材を茹でると後で分別しにくく、茹でるものによって最適な茹で時間が異なるので硬い食材（にんじんなど）に合わせると柔らかい食材（じゃがいもなど）を茹ですぎてしまう。
【考案の概要】
【考案が解決しようとする課題】
【０００３】  離乳食調理時、例えば野菜スープを作る場合、野菜（主にタマネギ・にんじん・じゃがいも・キャベツ）を鍋で茹で、ザルに野菜を受け別容器に茹で汁（野菜スープ）をとっていた。また、茹でた野菜を離乳食用に冷凍するので個別にする必要があり、手間がかかった。
【課題を解決するための手段】
【０００４】  本考案は、離乳食調理時、４か所の扇形の穴があり持ち手のついたステンレス製の枠に、最上部１周に多少の幅を有するフランジがあり扇形の円弧部分に持ち手のついた扇形柱状のステンレス製ザルをはめ、鍋に設置し、食材を個別に茹で時間差で取り出すことができ、かつ茹で汁も作成できることにより問題を解決している。
【考案の効果】
【０００５】  上述の様に、本考案は食材を個別に茹でることができ、かつ時間差で取り出すことができる。また、個別に茹でながら離乳食調理に必要な茹で汁も作ることができる。
【図面の簡単な説明】
【０００６】
【図１】本考案に係る離乳食調理用ザルの一部を構成する枠の平面図である。
【図２】本考案に係る離乳食調理用ザルの一部を構成するザルの平面図である。
【図３】本考案に係る離乳食調理用ザルの一部を構成するザルの持ち手部分を裏から見た図である。
【図４】本考案に係る離乳食調理用ザル及び枠の合体時の斜視図である。
【図５】本考案に係る離乳食調理用ザルの一部を構成するザルの斜視図及び実施例を示す図である。
【図６】本考案の実施時に用いる湯が沸いた鍋の図である。
【図７】本考案と鍋を合体させた図である。
【図８】本考案実施時の鍋の透過図である。
【図９】本考案実施時、ザルを１つ取り出した図である。
【図１０】本考案実施時、ザルを１つずつ取り出した図である。
【考案を実施するための形態】
【０００７】  図１の枠に図５のザルをはめ、鍋に設置し各ザルに茹でたい食材を入れ、火にかける。
【実施例】
【０００８】  以下、添付図面に従って一実施例を説明する。直径１４センチの鍋でじゃがいも・にんじん・たまねぎ・キャベツを用いて野菜スープを作る場合、乳児が食べやすい形に切った符号５の食材を図５のステンレス製ザル１つにつき１つずつ入れ、図１のステンレス製枠にはめる。鍋に湯を沸かし（図６）、図１と食材入りの図５を合体させたものをセットする（図７）。各食材が茹でたいかたさに茹であがったら、符号３を持ち、鍋及びステンレス製枠から取り出す（図９）。すべての食材が茹であがり、それぞれ取り出すと鍋の中に符号６ａのように茹で汁ができあがる。これが野菜スープとなり、離乳食の味付けなどに使用できる。
【符号の説明】
【０００９】１  枠の持ち手
２  ザルの持ち手
３  熱伝導を防止するための木製カバー
４  枠の一部（接着部）
５  茹でたい食材
５ａ  茹であがった食材
６  沸騰した湯
６ａ  茹で汁